(57)【特許請求の範囲】
【請求項１】
交流電圧を直流電圧に変換し、変換された直流電圧を出力する変換部と、
前記変換部に並列接続された複数の定電流電源部であって、対応する光源モジュールが接続されると共に、制御を受けることによって制御に応じた大きさの直流の定電流を接続された対応する前記光源モジュールに出力する複数の定電流電源部と、
各定電流電源部を制御することにより、各定電流電源部から接続する光源モジュールに出力される定電流値を制御する定電流制御部と
を備え、
前記定電流制御部は、
各定電流電源部の出力電圧を監視し、監視の結果、各定電流電源部のうちのいずれかの定電流電源部の出力電圧が所定値を超えた場合に、所定値を超えた定電流電源部の動作を停止させて出力電圧をゼロにする出力電圧監視部を備え、
前記定電流制御部は、
前記出力電圧監視部がいずれかの定電流電源部の動作を停止させた場合に、動作を停止させた定電流電源部以外の他の定電流電源部のうちの少なくとも一つの定電流電源部の出力する定電流値を増加させる
ことを特徴とする光源点灯装置。
【請求項２】
交流電圧を直流電圧に変換し、変換された直流電圧を出力する変換部と、
前記変換部に並列接続された複数の定電流電源部であって、対応する光源モジュールが接続されると共に、制御を受けることによって制御に応じた大きさの直流の定電流を接続された対応する前記光源モジュールに出力する複数の定電流電源部と、
各定電流電源部を制御することにより、各定電流電源部から接続する光源モジュールに出力される定電流値を制御する定電流制御部と
を備え、
前記定電流制御部は、
各定電流電源部の出力電圧を監視し、監視の結果、各定電流電源部のうちのいずれかの定電流電源部の出力電圧が所定値を超えた場合に、所定値を超えた定電流電源部の動作を停止させて出力電圧をゼロにする出力電圧監視部を備え、
前記定電流制御部は、
前記出力電圧監視部がいずれかの定電流電源部の動作を停止させた場合に、動作を停止させた定電流電源部以外の他の定電流電源部の各定電流電源部に接続する各光源モジュールの光束の合計が、定電流電源部の動作を停止させる前と略同一となるように、動作を停止させた定電流電源部以外の各定電流電源部を制御する
ことを特徴とする光源点灯装置。
【請求項３】
交流電圧を直流電圧に変換し、変換された直流電圧を出力する変換部と、
前記変換部に並列接続された複数の定電流電源部であって、対応する光源モジュールが接続されると共に、制御を受けることによって制御に応じた大きさの直流の定電流を接続された対応する前記光源モジュールに出力する複数の定電流電源部と、
各定電流電源部を制御することにより、各定電流電源部から接続する光源モジュールに出力される定電流値を制御する定電流制御部と
を備え、
前記定電流制御部は、
各定電流電源部の出力電圧を監視し、監視の結果、各定電流電源部のうちのいずれかの定電流電源部の出力電圧が所定値を超えた場合に、所定値を超えた定電流電源部の動作を停止させて出力電圧をゼロにする出力電圧監視部を備え、
前記定電流制御部は、
前記出力電圧監視部がいずれかの定電流電源部の動作を停止させた場合に、動作を停止させた定電流電源部以外の他の定電流電源部の出力する定電流の合計が、定電流電源部の動作を停止させる前と略同一となるように、動作を停止させた定電流電源部以外の各定電流電源部を制御する
ことを特徴とする光源点灯装置。
【請求項４】
交流電圧を直流電圧に変換し、変換された直流電圧を出力する変換部と、
前記変換部に並列接続された複数の定電流電源部であって、対応する光源モジュールが接続されると共に、制御を受けることによって制御に応じた大きさの直流の定電流を接続された対応する前記光源モジュールに出力する複数の定電流電源部と、
各定電流電源部を制御することにより、各定電流電源部から接続する光源モジュールに出力される定電流値を制御する定電流制御部と
を備え、
前記定電流制御部は、
各定電流電源部の出力電圧を監視し、監視の結果、各定電流電源部のうちのいずれかの定電流電源部の出力電圧が所定値を超えた場合に、所定値を超えた定電流電源部の動作を停止させて出力電圧をゼロにする出力電圧監視部を備え、
前記定電流制御部は、
前記出力電圧監視部がいずれかの定電流電源部の動作を停止させた場合に、動作を停止させた定電流電源部以外の他の定電流電源部の各定電流電源部の出力する定電流を、予め規定された最大値に制御する
ことを特徴とする光源点灯装置。
【請求項５】
交流電圧を直流電圧に変換し、変換された直流電圧を出力する変換部と、
前記変換部に並列接続された複数の定電流電源部であって、対応する光源モジュールが接続されると共に、制御を受けることによって制御に応じた大きさの直流の定電流を接続された対応する前記光源モジュールに出力する複数の定電流電源部と、
各定電流電源部を制御することにより、各定電流電源部から接続する光源モジュールに出力される定電流値を制御する定電流制御部と
を備え、
前記定電流制御部は、
各定電流電源部の出力電圧を監視し、監視の結果、各定電流電源部のうちのいずれかの定電流電源部の出力電圧が所定値を超えた場合に、所定値を超えた定電流電源部の動作を停止させて出力電圧をゼロにする出力電圧監視部を備え、
前記変換部は、
電力の供給を受けることにより前記変換部を動作させる第２制御部を備え、
前記監視部は、
監視の結果、すべての定電流電源部の出力電圧が所定値を超えた場合には、前記第２制御部への電力供給を停止する
ことを特徴とする光源点灯装置。
【請求項６】
前記複数の定電流電源部に接続される各光源モジュールは、
色温度が互いに異なることを特徴とする請求項１〜５のいずれかに記載の光源点灯装置。
【請求項７】
各光源モジュールは、
光源として、複数のＬＥＤを備えたことを特徴とする請求項１〜６のいずれかに記載の光源点灯装置。
【請求項８】
各光源モジュールは、
光源として、ＥＬ（Ｅｌｅｃｔｒｏ  Ｌｕｍｉｎｅｓｃｅｎｃｅ）を備えたことを特徴とする請求項１〜６のいずれかに記載の光源点灯装置。
【請求項９】
請求項１〜８のいずれかに記載の光源点灯装置を備えたことを特徴とする照明器具。
【発明の詳細な説明】
【技術分野】
【０００１】
この発明は、光源点灯装置及びこの光源点灯装置を用いた照明器具に関する。
【背景技術】
【０００２】
従来、発光色が異なる発光ダイオード（ＬＥＤ）を有するＬＥＤ照明器具において、各色のＬＥＤに供給する電流値を調整することにより、色温度及び光量を任意に設定することができるＬＥＤ照明装置が知られている（例えば特許文献１参照）。また、定電流源を用いて色温度可変を行う装置も発明されている（例えば特許文献２参照）。
【先行技術文献】
【特許文献】
【０００３】
【特許文献１】特開２００７−２００７２３号公報
【特許文献２】特開２００９−９８１７号公報
【発明の概要】
【発明が解決しようとする課題】
【０００４】
しかしながら、例えば特許文献１の点灯装置では定電圧電源から各色のＬＥＤを並列接続し、電流制限抵抗を介してＬＥＤを点灯させる。このため、電流制限抵抗による発熱により効率が低下する。従って高出力のＬＥＤ照明器具においては適用することが困難である。これを解決するために、例えば特許文献２の点灯装置では、定電流電源により駆動するので高効率である。
しかし、
（１）ＬＥＤに供給する電流をＰＷＭ制御によりオン・オフするため、ＬＥＤ電流がパルス状と波形となり、ちらつきが発生し易い。
（２）また、ＬＥＤ電流に高い周波数成分の電流を含むこととなり、ＬＥＤ点灯装置自体がノイズ源となり、他の機器等に悪影響を及ぼす可能性がある。
【０００５】
本発明は、上記のような課題を解決するためになされたものであり、簡単な回路構成により、高効率、低ノイズで、色温度及び光量を容易に調整可能な光源点灯装置を提供することを目的とする。
【課題を解決するための手段】
【０００６】
この発明の光源点灯装置は、
交流電圧を直流電圧に変換し、変換された直流電圧を出力する変換部と、
前記変換部に並列接続された複数の定電流電源部であって、対応する光源モジュールが接続されると共に、制御を受けることによって制御に応じた大きさの直流の定電流を接続された対応する前記光源モジュールに出力する複数の定電流電源部と、
各定電流電源部を制御することにより、各定電流電源部から接続する光源モジュールに出力される定電流値を制御する定電流制御部と
を備えたことを特徴とする。
【発明の効果】
【０００７】
本発明は、上記のような課題を解決するためになされたものであり、簡単な回路構成により、高効率、低ノイズで、色温度及び光量を容易に調整可能な光源点灯装置を提供することを目的とする。
【図面の簡単な説明】
【０００８】
【図１】実施の形態１のＬＥＤ点灯装置１１０の概要を示すブロック図。
【図２】実施の形態１のＬＥＤ点灯装置１１０の回路図。
【図３】実施の形態２のＬＥＤ点灯装置１２０の回路図。
【図４】実施の形態２のＬＥＤ点灯装置１２０の回路図の一部。
【図５】実施の形態２のＬＥＤ点灯装置１２０の回路図の一部。
【図６】実施の形態３のＬＥＤ点灯装置１３０の回路図。
【図７】実施の形態４のＬＥＤ照明器具１４０の側断面図。
【発明を実施するための形態】
【０００９】
実施の形態１．
図１は、実施の形態１のＬＥＤ点灯装置１１０（光源点灯装置）の概要を説明するためのブロック図である。図１を参照して実施の形態１のＬＥＤ点灯装置１１０の概要を説明する。ＬＥＤ点灯装置１１０は、整流回路２と昇圧チョッパ回路７とからなると共に交流電圧を直流電圧に変換し、変換された直流電圧を出力する変換部を有する。変換部には、定電流を出力する定電流電源部である第１降圧チョッパ回路１２と第２降圧チョッパ回路１３とが、並列に接続されており、これらには、それぞれ、色温度３０００ＫのＬＥＤモジュール２１と、色温度５０００ＫのＬＥＤモジュール２２とが接続されている。定電流制御部１０１は、第１降圧チョッパ回路制御部１９、第２降圧チョッパ回路制御部２０及びマイクロコンピュータ２９（以下マイコンという）を備え、マイコン２９が第１降圧チョッパ回路制御部１９、第２降圧チョッパ回路制御部２０を介して、第１降圧チョッパ回路１２、第２降圧チョッパ回路１３の出力電流値を制御する。すなわち、第１降圧チョッパ回路１２と第２降圧チョッパ回路１３とは、制御を受けることによって制御に応じた大きさの直流の定電流を対応するＬＥＤモジュール２１、２２に出力する。定電流制御部１０１は、定電流電源部である第１降圧チョッパ回路１２、第２降圧チョッパ回路１３を制御することにより、各定電流電源部から対応するするＬＥＤモジュールに出力される定電流値を制御する。第１降圧チョッパ回路１２、第２降圧チョッパ回路１３の出力する電流を互いに独立に制御することで、簡単に、任意の色温度、明るさを得ることができる。
【００１０】
図２はＬＥＤ点灯装置１１０の回路図である。ＬＥＤ点灯装置１１０は、商用交流電源１より電力の供給を受けてＬＥＤモジュール２１、及びＬＥＤモジュール２２を点灯させる装置である。ＬＥＤモジュール２１は、複数のＬＥＤから構成される。ＬＥＤモジュール２１は、色温度が３０００Ｋに設定されている。また、同様にＬＥＤモジュール２２も複数のＬＥＤから構成されている。ＬＥＤモジュール２２は、色温度が５０００Ｋに設定されている。以下、ＬＥＤモジュール２１、ＬＥＤモジュール２２は、単にＬＥＤ２１、ＬＥＤ２２という。
【００１１】
図２において、商用交流電源１とＬＥＤ２１、ＬＥＤ２２と色温度・調光コントローラ２６以外はＬＥＤ点灯装置１１０の構成要素である。
ＬＥＤ点灯装置１１０は、
（１）整流回路２と、
（２）第１インダクタ３、第１スイッチング素子４、ダイオード５、第１平滑コンデンサ６からなる昇圧チョッパ回路７と、
（３）第２スイッチング素子８、第２インダクタ９、環流ダイオード１０、第２平滑コンデンサ１１からなる第１降圧チョッパ回路１２と、
（４）第１降圧チョッパ回路１２と同様の構成からなる第２降圧チョッパ回路１３と、
（５）オペアンプ１４ａ、制御ＩＣ１５ａ（第１制御部）等からなる第１降圧チョッパ回路制御部１９と、
（６）第１降圧チョッパ回路制御部１９と同様の構成であり、制御ＩＣ１５ｂ（第１制御部）等からなる第２降圧チョッパ回路制御部２０と
を備えている。
【００１２】
第１降圧チョッパ回路１２と第２降圧チョッパ回路１３は、昇圧チョッパ回路７の後段に互いに並列に接続され、昇圧チョッパ回路７を共有化している。
各降圧チョッパ回路には互いに異なる色温度のＬＥＤ２１，２２が接続され、例えば、第１降圧チョッパ回路１２には色温度３０００ＫのＬＥＤ２１が接続され、第２降圧チョッパ回路１３には色温度５０００ＫのＬＥＤ２２が接続される。これにより色温度３０００ＫのＬＥＤ２１から出力される光と色温度５０００ＫのＬＥＤ２２から出力される光を混合することにより、その中間の色温度を有する混色光を得ることができる。
【００１３】
整流回路２は、商用交流電源１から供給される交流電圧を全波整流する。昇圧チョッパ回路７は制御ＩＣ２３（第２制御部）により駆動・制御され、入力電流の波形を正弦波状に制御し、力率を改善する目的で設けられている。また、昇圧チョッパ回路７は整流回路２で全波整流された直流電圧を昇圧及び平滑化し、第１平滑コンデンサ６の電圧を一定に保つ。なお、力率改善を行わない場合は、昇圧チョッパ回路７は必要なく、直流電圧を生成する回路構成であれば昇圧チョッパ回路以外の回路構成でもよい。例えばコンデンサインプット形整流回路でも良い。この場合コンデンサインプット形整流回路の後段に第１降圧チョッパ回路１２及び第２降圧チョッパ回路１３を接続し、コンデンサインプット形整流回路を共有化する。整流回路２は例えばダイオードブリッジを構成する。
【００１４】
第１降圧チョッパ回路１２は第１降圧チョッパ回路制御部１９の制御ＩＣ１５ａにより駆動・制御され、ＬＥＤ２１に電流を供給する。ＬＥＤ電流検出抵抗２４ａはＬＥＤ電流を電圧信号に変換する役割を果たす。オペアンプ１４ａ、コンデンサ１６ａ、抵抗１７ａは積分回路を構成し、ＬＥＤ電流検出抵抗２４ａにより検出された電圧信号は抵抗１７ａを介してオペアンプの反転入力端子側に入力される。
【００１５】
第１降圧チョッパ回路１２のＬＥＤ電流値の調整は、第２スイッチング素子８ａのオンデューティ比を調整することで行う。オンデューティ比は制御ＩＣ１５ａが有するフィードバック制御端子１５ａ−１の電圧で決定する。すなわちフィードバック制御端子１５ａ−１は電流を出力し、この出力電流値に応じてフィードバック端子電圧が決定し、この電圧値に応じて第２スイッチング素子８ａのオンデューティ比が決まる。実施の形態１ではフィードバック制御端子１５ａ−１は、ダイオード１８ａを介してオペアンプ１４ａの出力端子に接続されている。従ってオペアンプ１４ａの出力電圧の変化に応じて制御ＩＣ１５ａのフィードバック制御端子１５ａ−１から出力される電流値が変化する。この電流値の変化に伴って、端子１５ａ−２から駆動回路８ａ−１を介して第２スイッチング素子８ａに出力される信号値が変化するので、第２スイッチング素子８ａのデューティ比が変化する。なお、駆動回路８ａ−１は、制御ＩＣ１５ａと第２スイッチング素子８ａとを電気的に絶縁する役割を果たす。
（１）ここでは、フィードバック制御端子１５ａ−１の電圧が高くなると第２スイッチング素子８ａのオンデューティ比が大きくなり（この場合、端子１５ａ−２からオンデューティ比が大きくなる信号値が出力される）、
（２）フィードバック制御端子１５−ａの電圧が低くなるとオンデューティ比が小さくなるとして説明する。
ちなみにダイオード１８ａはオペアンプ１４ａの出力電圧が過大となった場合に制御ＩＣ１５ａを保護する目的で用いており、制御ＩＣ１５ａに破損の恐れがない場合は必要ない。
【００１６】
制御ＩＣ１５ａより出力されるスイッチング素子駆動信号は第２スイッチング素子８ａ（ここではＭＯＳ−ＦＥＴとする）のゲートに入力されるが、本実施の形態１では第２スイッチング素子８ａが高圧側に設けられているため、駆動回路８ａ−１により駆動信号が電気的に絶縁されて伝達される。駆動回路８ａ−１は信号の絶縁のため一般的にトランスやフォトカプラが用いられる。
【００１７】
なお、実施の形態１では、第２降圧チョッパ回路制御部２０によって制御される第２降圧チョッパ回路１３はＬＥＤ２２に電流を供給する目的で設けらる。その構成・制御原理は上述の第１降圧チョッパ回路１２及び第１降圧チョッパ回路制御部１９と同一であるため、説明を省略する。
【００１８】
制御電源回路２５は、制御ＩＣ１５ａ、制御ＩＣ１５ｂ、制御ＩＣ２３、オペアンプ１４等からなる制御回路に電力を供給するための制御電源を生成する回路である。回路構成は、例えば図示しないが、第１インダクタ３または第２インダクタ９の２次巻き線から供給する方法や、第１平滑コンデンサ６よりスイッチング電源を介して適切な電圧に変換され、制御回路に供給する方法がある。本実施の形態１では後者のように制御電源回路２５をスイッチング電源で構成し、第１平滑コンデンサ６から制御電源回路２５を介して適切な電圧に変換し、制御回路に電力を供給するものとて説明する。
【００１９】
色温度・調光コントローラ２６は、ＬＥＤ点灯装置１１０の外部に設けられ、ユーザーが照明器具を任意の色温度、調光率に設定するため、ＬＥＤ点灯装置１１０に色温度設定値や調光率設定値を指示する信号を出力する機器である。色温度・調光コントローラ２６は例えば壁に設けられたボリュームや、リモコンなどであり、色温度・調光コントローラ２６で色温度、調光率を設定する。色温度・調光コントローラ２６より出力された色温度・調光信号はＬＥＤ点灯装置１１０に入力され、ＬＥＤ点灯装置１１０内に設けられた調光インターフェース回路２７にて色温度設定値、調光率設定値を判断する。調光インターフェース回路２７は例えば絶縁回路を構成するフォトカプラ２８、マイコン２９にて構成され、フォトカプラ２８を介してマイコン２９に色温度・調光信号が入力される。色温度・調光信号は例えばＰＷＭ信号であり、マイコン２９はＰＷＭ信号のデューティ比等を算出することにより、色温度設定値や調光率設定値を判定する。
【００２０】
以上、本実施の形態１にかかわるＬＥＤ点灯装置１１０の構成について説明した。次に本実施の形態１に係るＬＥＤ点灯装置１１０の動作について説明する。
【００２１】
ＬＥＤ点灯装置１１０に商用交流電源１を投入すると、整流回路２は商用交流電源１から供給される交流電圧を整流し、直流電圧に変換する。得られた直流電圧により第１平滑コンデンサ６が充電され、制御電源回路２５が起動する。制御電源回路２５は制御回路に電源を供給するため、制御回路に適した電圧、例えば１５Ｖや５Ｖ等に変換する。
【００２２】
制御ＩＣ２３に制御電源が投入されると、昇圧チョッパ回路７が動作を開始する。第１スイッチング素子４がオンすると、整流回路２→第１インダクタ３→第１スイッチング素子４→整流回路２の経路で電流が流れ、第１インダクタ３にエネルギーを蓄える。次に第１スイッチング素子４がオフすると、整流回路２→第１インダクタ３→ダイオード５→第１平滑コンデンサ６→整流回路２の経路で電流が流れ、第１インダクタ３に蓄えられたエネルギーが第１平滑コンデンサ６に充電される。第１平滑コンデンサ６には商用電源電圧よりも昇圧された電圧が発生する。このとき、制御ＩＣ２３は入力電流波形を電源電圧波形と同位相で正弦波状になるように第１スイッチング素子４のスイッチングを制御するため、入力電流波形が正弦波となり、高力率となる。
【００２３】
制御ＩＣ１５ａに制御電源が投入されると、第１降圧チョッパ回路１２が動作を開始し、ＬＥＤ２１に電流が供給される。具体的には第２スイッチング素子８ａがオンすると、第１平滑コンデンサ６→第２スイッチング素子８ａ→第２インダクタ９ａ→第２平滑コンデンサ１１ａ→第１平滑コンデンサ６の経路で電流が流れ、第２インダクタ９ａにエネルギーが蓄えられる。第２スイッチング素子８ａがオフすると、第２インダクタ９ａに蓄えられたエネルギーが放出され、第２インダクタ９ａ→第２平滑コンデンサ１１ａ→還流ダイオード１０ａ→第２インダクタ９ａの経路で電流が流れる。第２平滑コンデンサ１１ａからはＬＥＤ２１に電流が供給されるが、第２平滑コンデンサ１１ａはこのときＬＥＤ電流の脈動を抑制し、平滑化する役目を果たす。第２スイッチング素子８ａのオンデューティ比を調節することで、ＬＥＤ２１に流れる電流を調節することができる。
【００２４】
オペアンプ１４ａに電源が投入されると、オペアンプ１４ａが動作を開始する。ＬＥＤ電流検出抵抗２４ａによりＬＥＤ２１に流れる電流が電圧信号に変換されて検出され、検出された信号（以後、検出信号と呼ぶ）はオペアンプ１４ａの反転入力端子に入力される。検出信号は、オペアンプ１４ａの非反転入力端子に入力される目標ＬＥＤ電流を指示する信号（以後、目標信号と呼ぶ）と比較される。例えば検出信号よりも目標信号の方が、電圧が高い場合、オペアンプ１４ａの出力端子電圧は時間経過とともに上昇していく。オペアンプ１４ａの出力端子電圧が上昇すると制御ＩＣ１５ａのフィードバック制御端子１５ａ−１の電圧も上昇するため第２スイッチング素子８ａのオンデューティ比が増大し、ＬＥＤ２１に流れる電流は増加する。
【００２５】
目標信号の電圧より検出信号の電圧の方が高い場合、オペアンプ１４ａの出力端子電圧は時間経過とともに出力電圧が低下していく。オペアンプ１４ａの出力端子電圧が低下すると制御ＩＣ１５ａのフィードバック制御端子１５ａ−１の電圧も減少するため、第２スイッチング素子８ａのオンデューティ比も減少し、ＬＥＤ２１に流れる電流は減少する。このように検出信号と目標信号をオペアンプ１４ａで比較し、両者の差が小さくなる方向に第２スイッチング素子８ａのデューティ比を制御して、定電流フィードバック制御を行う。第２降圧チョッパ回路１３及び第２降圧チョッパ回路制御部２０の動作については、第１降圧チョッパ回路１２及び第１降圧チョッパ回路制御部１９と同様であるため説明を省略する。
【００２６】
（ＬＥＤ点灯装置１１０の構成の特徴）
実施の形態１では昇圧チョッパ回路７を共有化して、昇圧チョッパ回路７の後段に第１降圧チョッパ回路１２と第２降圧チョッパ回路１３の２回路を搭載し、各降圧チョッパ回路には互いに異なる色温度のＬＥＤが接続されている。従って各降圧チョッパ回路にはそれぞれ独立してＬＥＤに供給する電流を設定可能で、色温度３０００ＫのＬＥＤ２１に供給する電流と色温度５０００ＫのＬＥＤ２２に供給する電流の割合により３０００Ｋ〜５０００Ｋの範囲で任意の色温度の光を出力することが可能となる。また、各ＬＥＤに供給する電流の増減により、任意の明るさに設定可能である。
【００２７】
ここで、色温度・調光コントローラ２６より任意の「色温度、調光率」を指定する信号がＬＥＤ点灯装置１１０に入力されたとする。色温度・調光コントローラ２６からの信号は、マイコン２９に入力され、信号の解析が行われる。そしてマイコン２９は、入力された信号から色温度設定値、調光率設定値を読み取り、色温度３０００Ｋと色温度５０００Ｋとの各ＬＥＤに供給する電流値を決定する。
【００２８】
マイコン２９にて色温度３０００ＫのＬＥＤ２１と色温度５０００ＫのＬＥＤ２２とに供給する電流値が決定すると、マイコン２９より、オペアンプ１４ａとオペアンプ１４ｂの非反転入力端子にそれぞれ目標信号を与えるためのＰＷＭ信号が出力される。マイコン２９より出力されたＰＷＭ信号は平滑回路３０、平滑回路３１により直流化され、オペアンプ１４ａとオペアンプ１４ｂの非反転入力端子に、それぞれ目標信号電圧として与えられる。これにより色温度３０００ＫのＬＥＤ２１と色温度５０００ＫのＬＥＤ２２に設定した電流が供給され、光の混合により任意の色温度の混色光を得ることができる。
【００２９】
以上のように、色温度３０００ＫのＬＥＤと色温度５０００ＫのＬＥＤにそれぞれ独立してＬＥＤ電流を供給できるため、任意の色温度、任意の調光率にて容易にＬＥＤを点灯することができる。
【００３０】
（１．合計出力電流を一定とする制御）
ここで、例えば色温度３０００ＫのＬＥＤ２１と、色温度５０００ＫのＬＥＤ２２との合計出力電力を一定に保ったまま色温度を変化させたい場合は、マイコン２９によって、第１降圧チョッパ回路１２と第２降圧チョッパ回路１３との合計出力電流が常に一定となるように、第１降圧チョッパ回路１２の出力電流と第２降圧チョッパ回路１３の出力電流とを決定すれば良い。これにより色温度３０００ＫのＬＥＤ２１に供給する電流と色温度５０００ＫのＬＥＤ２２に共有する電流との合計電流は常に一定のままで、電流の比率のみが変化する。このため、出力電力を一定に保ったまま色温度可変を行うことができる。
【００３１】
（２．合計光束を一定とする制御）
また、第１降圧チョッパ回路１２の出力電流と第２降圧チョッパ回路１３の出力電流との電流比率を、予めマイコンにてプログラムされた比率に設定し、色温度３０００ＫのＬＥＤ２１と色温度５０００ＫのＬＥＤ２２との合計光束が常に一定となるようにマイコン２９内にプログラムすることにより、制御しても良い。
【００３２】
（３．出力電流の比率を一定とする制御）
次に、色温度３０００ＫのＬＥＤ２１と色温度５０００ＫのＬＥＤ２２の混色光により得られる色温度を一定に保ったまま調光率を変化させたい場合を考える。この場合、第１降圧チョッパ回路１２の出力電流値と第２降圧チョッパ回路１３の出力電流値との比率を固定した状態で、合計電流を変更するようにマイコン２９内にプログラムすることにより、混色光の色温度を保ったまま調光することができる。
【００３３】
このような色温度可変・調光制御方式により目的とする色温度を保ったままの調光制御や、目的とする出力電力を保ったままの色温度可変制御が可能となる。しかしながら上述のような制御方法では、第１降圧チョッパ回路１２の出力電流と第２降圧チョッパ回路１３の出力電流の合計が常に一定となるように色温度可変制御を行うため、第１降圧チョッパ回路１２と第２降圧チョッパ回路１３がそれぞれ最大出力電流で同時に出力することはない。すなわち、各降圧チョッパ回路の出力電流の最大値を１００とした場合、第１降圧チョッパ回路１２の出力電流が１００であるとすると、第２降圧チョッパ回路１３の出力電流は０、第２降圧チョッパ回路１３の出力電流が１００であるとすると、第１降圧チョッパ回路１２の出力電流は０となる。そして第１降圧チョッパ回路１２の出力電流が５０であるとすると、第２降圧チョッパ回路１３の出力電流も５０となる。従って、各降圧チョッパ回路から同時に最大出力電流を出力することができず、ＬＥＤの利用効率が５０％となり、非効率である。
【００３４】
（ハイパワーモード）
そこで、例えば、色温度・調光コントローラ２６に高出力点灯を指示するボタン２６−１（図面に追加）を設け、そのボタンを押して、高出力点灯を指示する信号がＬＥＤ点灯装置１１０に入力された場合や、または色温度・調光コントローラ２６から調光・色温度可変を指示する信号を未入力にするなどして、通常の色温度可変・調光点灯状態とは異なる点灯モードであることをマイコン２９が判別して、第１降圧チョッパ回路１２及び第２降圧チョッパ回路１３の出力電流をそれぞれ最大値に設定する（ハイパワーモード）。これにより第１降圧チョッパ回路及び第２降圧チョッパ回路はそれぞれ出力できる最大電流を出力し、ＬＥＤ２１及びＬＥＤ２２を最大電流で点灯することができる。これにより出力電力を通常点灯時の２倍取り出すことができ、必要に応じて色温度固定の最大照度を得ることができる。
【００３５】
以上のように昇圧チョッパ回路７を共有化して、昇圧チョッパ回路７の後段に降圧チョッパ回路を２回路搭載し、各降圧チョッパ回路には互いに異なる色温度のＬＥＤを接続することにより色温度の異なるＬＥＤに独立して任意の電流を供給することができる。従って任意の色温度、調光率に設定することができる。また、２回路からなる降圧チョッパ回路に対して整流回路及び昇圧チョッパ回路からなるＡＣ−ＤＣ変換部を共有化しているので、回路構成を簡単にでき、小型・低コスト化を実現することができる。さらに、降圧チョッパ回路からの出力電流は完全な平滑化された電流であるため、従来のパルス電流と比較してノイズの小さいＬＥＤ点灯装置を構成することができる。
【００３６】
なお、実施の形態１においては力率改善回路を用いているが、力率改善が必要ない場合は、昇圧チョッパ回路は省略することができ、例えばコンデンサインプット型整流回路を用いればよい。この場合、コンデンサインプット型整流回路は２回路からなる降圧チョッパ回路に対して共有化しているので、全体の回路構成を簡単にでき、小型・低コスト化を実現することができる。また、本実施の形態１ではＬＥＤに電流を供給する回路として降圧チョッパ回路を用いているが、ＬＥＤに電流を供給できる定電流電源回路方式であれば他の回路方式でもよく、例えばフライバックコンバータなどでもよい。さらに実施の形態１では、色温度３０００Ｋと５０００ＫのＬＥＤを用いて説明したが、他の色温度の組み合わせでも良い。
【００３７】
（定電流電源部の個数）
ＬＥＤ点灯装置１１０では、定電流電源部として２つの降圧チョッパ回路を備える場合を説明したが、降圧チョッパ回路は２つに限らず、いくつ設けてもよい。
【００３８】
（光源）
ＬＥＤ点灯装置１１０では、光源をＬＥＤとして説明したが一例である。ＬＥＤに限らず有機ＥＬ（Ｅｌｅｃｔｒｏ  Ｌｕｍｉｎｅｓｃｅｎｃｅ）などでもよい。例えば光源として有機ＥＬを用いた場合、各降圧チョッパ回路に互いに異なる色温度の有機ＥＬを接続すれば、色温度の異なる有機ＥＬに独立して任意の電流を供給することができ、ＬＥＤモジュールの場合と同様の効果を得ることができる。
【００３９】
（１）本実施の形態１のＬＥＤ点灯装置１１０によれば、ＡＣ−ＤＣ変換部の後段に降圧チョッパ回路を２回路搭載し、２つの降圧チョッパ回路には互いに異なる色温度のＬＥＤモジュールを接続した。これにより、色温度の異なるＬＥＤモジュールに、独立して任意の電流を供給するので、ＬＥＤモジュールを独立して任意の色温度、調光率に設定できる。（２）また、２回路の降圧チョッパ回路に対してＡＣ−ＤＣ変換部を共有化しているので、回路構成が簡単となり、小型・低コスト化を実現できる。
（３）さらに、降圧チョッパ回路からの出力電流は平滑化された電流であるため、ＬＥＤ点灯装置１１０のノイズは小さい。
【００４０】
実施の形態２．
次に図３〜図５を参照して実施の形態２のＬＥＤ点灯装置１２０を説明する。
図３はＬＥＤ点灯装置１２０の回路図である。図３において、商用交流電源１、ＬＥＤ２１、ＬＥＤ２２及び色温度・調光コントローラ２６以外はＬＥＤ点灯装置１２０の構成要素である。実施の形態１の図２と異なる部分は、第１遮断スイッチ３２、第２遮断スイッチ３３、第３遮断スイッチ３４を設けたことである。本実施の形態２は、実施の形態１のＬＥＤ点灯装置１１０に、制御電源遮断機能を付加したもので、実施の形態１と同様の部分については説明を省略する。
【００４１】
制御電源回路２５は制御ＩＣ２３、制御ＩＣ１５ａ及び制御ＩＣ１５ｂに制御電源を供給するが、制御電源を供給する経路に各々第１遮断スイッチ３２、第２遮断スイッチ３３、第３遮断スイッチ３４を設ける。各遮断スイッチは例えばＭＯＳＦＥＴなど、半導体スイッチを使用する。図示しないが、各遮断スイッチのオン・オフ制御部は、例えばマイコン２９により構成され、マイコン２９から各遮断スイッチのオン・オフを制御する信号を出力する。例えばマイコン２９より第１遮断スイッチ３２をオンする信号が出力されると、第１遮断スイッチ３２は導通状態となり、制御電源回路２５から制御ＩＣ２３に電源が供給されて、制御ＩＣ２３は動作する。次にマイコン２９より第１遮断スイッチ３２をオフする信号が出力されると、第１遮断スイッチ３２は遮断状態となる。第１遮断スイッチ３２が遮断状態であると、制御ＩＣ２３への制御電源供給が遮断されて制御ＩＣ２３は動作を停止する。
【００４２】
以上、本実施の形態２に係わるＬＥＤ点灯装置１２０の制御電源遮断に関する構成について説明した。次に、本実施の形態２に係わるＬＥＤ点灯装置１２０の動作について説明する。なお、実施の形態１と同様の動作については説明を省略する。
【００４３】
商用交流電源１を投入すると制御電源回路２５が起動を開始し、制御回路に適した電圧に変換され、出力する。このとき、第１遮断スイッチ３２、第２遮断スイッチ３３、及び第３遮断スイッチ３４は遮断状態となっている。このため、各制御ＩＣに電源は供給されてない。次にマイコン２９より第１遮断スイッチ３２、第２遮断スイッチ３３、及び第３遮断スイッチ３４をオンする信号が出力されると、各遮断スイッチが導通状態となる。よって、制御ＩＣ２３、制御ＩＣ１５ａ、及び制御ＩＣ１５ｂに制御電源が供給され、ＬＥＤ点灯装置１２０は動作を開始し、色温度・調光コントローラ２６より出力される信号に従って設定された調光率、色温度でＬＥＤが点灯を開始する。
【００４４】
ここで、例えば色温度・調光コントローラ２６より色温度３０００Ｋでの点灯を指示する信号が出力されたとする。ＬＥＤ点灯装置１２０は第１降圧チョッパ回路１２に色温度３０００ＫのＬＥＤ２１を、第２降圧チョッパ回路１３に色温度５０００ＫのＬＥＤ２２を接続しているため、色温度３０００Ｋで点灯させる場合、５０００ＫのＬＥＤ２２を消灯して、色温度３０００ＫのＬＥＤ２１のみで点灯を行うこととなる。従ってマイコン２９及び平滑回路３０から出力される第１降圧チョッパ回路１２の目標信号電圧は、色温度３０００ＫのＬＥＤ２１のみで所定の調光率を達成するための値に設定される。そしてマイコン２９及び平滑回路３１から出力される第２降圧チョッパ回路１３の目標信号電圧は、色温度５０００ＫのＬＥＤ２２を消灯するため、目標信号電圧を、色温度５０００ＫのＬＥＤ２２の電流がゼロとなる値に設定される。これにより照明器具は色温度３０００Ｋで点灯することができる。
【００４５】
（一方の降圧チョッパ回路が動作停止の場合）
このとき、第２降圧チョッパ回路１３は色温度５０００ＫのＬＥＤ２２への供給電流がゼロであるため、動作が停止している。しかしながら制御ＩＣ１５ｂには制御電源回路２５より電源が供給されたままとなっているため、制御ＩＣ１５ｂはこの間も電力を消費することとなり、省エネルギーの観点から望ましくない。そこで、本実施の形態２では、第２降圧チョッパ回路１３の動作を制御する制御ＩＣ１５ｂへの制御電源の供給を遮断するため、マイコン２９より第３遮断スイッチ３４をオフする信号を出力する。これにより制御ＩＣ１５ｂへの制御電源が遮断され、消費電力を削減することができる。
【００４６】
このように、色温度が３０００Ｋまたは５０００Ｋで照明器具を点灯させる指示が色温度・調光コントローラ２６より出力された場合、すなわち片方の降圧チョッパ回路のみが動作し、他方の降圧チョッパ回路が動作していない場合は、動作していない降圧チョッパ回路の制御ＩＣの電源を遮断することにより消費電力を削減できる。
【００４７】
次に色温度・調光コントローラ２６よりＬＥＤの消灯を指示する信号が出力されたとする。この場合、マイコン２９は、平滑回路３０、平滑回路３１から出力される第１降圧チョッパ回路１２及び第２降圧チョッパ回路１３の目標信号電圧を出力電流がゼロとなる値に設定し、ＬＥＤ２１、ＬＥＤ２２を消灯する。ただしこの状態においては制御ＩＣ１５ａ、及び制御ＩＣ１５ｂに制御電源が供給されたままの状態となるため、制御ＩＣ１５ａ及び制御ＩＣ１５ｂはこの間も電力を消費することとなり、省エネルギーの観点から望ましくない。
【００４８】
（両方の降圧チョッパ回路が動作停止の場合）
そこで、ＬＥＤ全消灯時においては第２遮断スイッチ３３、第３遮断スイッチ３４を遮断状態とすることにより制御ＩＣ１５ａ、制御ＩＣ１５ｂへの制御電源を遮断できるので待機電力を削減することができる。また、この状態においては昇圧チョッパ回路７が動作した状態であり、第１平滑コンデンサ６の電圧を一定に保った状態である。しかしながらＬＥＤ２１、ＬＥＤ２２は消灯している状態であり、昇圧チョッパ回路７を動作させておく必要はなく、昇圧チョッパ回路７を動作する分、待機電力が増加してしまう。そこで、ＬＥＤ全消灯時はさらに第１遮断スイッチ３２をオフして制御ＩＣ２３への電力供給を遮断し、昇圧チョッパ回路７の動作を停止させる。これにより、ＬＥＤ消灯時の待機電力をさらに削減できる。
【００４９】
ここで、オペアンプ１４ａ、１４ｂについてもＬＥＤ消灯時は制御電源を遮断すれば、更なる待機電力削減が可能である。
図４は、図３とは異なる遮断スイッチの配置を示す図である。そこで、図４に示すようにオペアンプ１４ａ、１４ｂの制御電源遮断スイッチに第１遮断スイッチ３２を使用し、制御ＩＣ１５ａと共通化することによりＬＥＤ消灯時は制御ＩＣ２３とオペアンプ１４ａ、１４ｂの制御電源を遮断でき、ＬＥＤ点灯装置１２０の待機電力を削減することができる。
図５は、更に別の遮断スイッチの配置を示す図である。また、図５に示すように、第１遮断スイッチ３２の後段に第２遮断スイッチ３３、第３遮断スイッチ３４を設ければ、ＬＥＤ消灯時は第１遮断スイッチ３２の遮断のみで同様の効果を得ることができる。
【００５０】
以上のように、２つの降圧チョッパ回路に、互いに異なる色温度のＬＥＤを接続し、そのいずれか一方のＬＥＤのみ点灯を行っている場合は、点灯していないＬＥＤが接続された降圧チョッパ回路の制御ＩＣに対しては制御電源の供給を遮断することにより、ＬＥＤ点灯時の消費電力を削減することができる。さらにＬＥＤ消灯時には、２つの降圧チョッパ回路の制御ＩＣに対して制御電源の供給を遮断し、さらに昇圧チョッパ回路の制御ＩＣ、オペアンプへの制御電源供給を遮断する。これによりＬＥＤ消灯時の待機電力を削減することができる。よって高効率なＬＥＤ点灯装置を構成することができる。
【００５１】
なお、実施の形態２においては力率改善回路を用いているが、力率改善が必要ない場合は、昇圧チョッパ回路は省略することができ、例えばコンデンサインプット型整流回路を用いればよい。その場合、制御ＩＣ２３及び第１遮断スイッチ３２は必要ない。また、ＬＥＤに電流を供給する回路として降圧チョッパ回路を用いているが、ＬＥＤに電流を供給できる回路方式であれば他の回路方式でもよく、例えばフライバックコンバータなどでもよい。さらに実施の形態２では、色温度３０００Ｋと５０００ＫのＬＥＤを用いて説明したが、他の色温度の組み合わせでも良い。
【００５２】
実施の形態３．
図６を参照して実施の形態３を説明する。
図６は、実施の形態３のＬＥＤ点灯装置１３０の回路構成を示す図である。図３に示す実施の形態２の回路図と異なる部分は、過電圧保護回路を設けたことである。実施の形態２と同様の部分については説明を省略する。
【００５３】
出力電圧検出抵抗３５ａ、３５ｂ及び３６ａ及び３６ｂは第１降圧チョッパ回路１２及び第２降圧チョッパ回路１３の出力端子の電圧を分圧する役割を果たす。出力電圧検出抵抗より検出された分圧された電圧はマイコン２９（出力電圧監視部の一例）に入力され、Ａ／Ｄ変換によりアナログからデジタルに変換され、マイコン内部に取り込まれる。
【００５４】
（一方の降圧チョッパ回路の動作を停止）
例えば、何らかの原因により色温度３０００ＫのＬＥＤ２１が断線故障したとする。すると第１降圧チョッパ回路１２は出力端子が開放されることになり、定電流制御のため、出力電圧は上昇していき、高電圧を発生することになる。このとき、第１降圧チョッパ回路１２に使用されている電子部品の耐圧をオーバーする電圧が発生すると、最悪、電子部品を破壊する恐れがある。そこで第１降圧チョッパ回路１２の出力電圧が所定電圧を超えると、マイコン２９がこれをＬＥＤ断線と判断する。
【００５５】
そして、マイコン２９は第２遮断スイッチ３３をオフして、第１降圧チョッパ回路１２を制御する制御ＩＣ１５ａのみ制御電源の供給を遮断し、直ちに第１降圧チョッパ回路１２の動作を停止させる。これにより第１降圧チョッパ回路の出力電圧の上昇を抑制し、色温度５０００ＫのＬＥＤ２２が接続されている第２降圧チョッパ回路１３はＬＥＤ点灯動作が可能となる。逆に、色温度５０００ＫのＬＥＤ２２が断線し、色温度３０００ＫのＬＥＤ２１が正常な場合は、同様の方法により第２降圧チョッパ回路１３の動作を停止させる。
【００５６】
ここで、各降圧チョッパ回路の最大出力電流を１００とした場合に、例えば第１降圧チョッパ回路１２の出力電流と第２降圧チョッパ回路１３の出力電流が、５０：５０の割合で点灯している状態を想定する。この状態で色温度３０００ＫのＬＥＤ２１が断線したとする。すると上述の手段により、第１降圧チョッパ回路１２は動作を停止して出力端子の電圧上昇を抑制し、第２降圧チョッパ回路１３は動作を継続し、色温度５０００ＫのＬＥＤ２２の点灯を継続する。
【００５７】
しかしながらこの状態のまま色温度５０００ＫのＬＥＤ２２が点灯を継続した場合、第２降圧チョッパ回路１３は最大出力電流１００に対して半分である５０の電流値で点灯を継続するため、ＬＥＤ点灯装置１３０の出力はＬＥＤ断線前の半分となり、室内の照度が低下する。色温度の設定状態によってはさらに照度が低下することも考えられる。
【００５８】
（対応するＬＥＤが正常な他の降圧チョッパ回路の制御）
（１）そこで、本実施の形態３では、色温度３０００ＫのＬＥＤ２１が断線した場合、色温度５０００ＫのＬＥＤ２２のみで照度を確保するため、マイコン２９は第２降圧チョッパ回路１３の出力電流を増加させるため、目標信号電圧を上昇させる。これにより、第２降圧チョッパ回路１３の出力電流が上昇し、ＬＥＤ２１が断線前しても光束を維持することができる。
（２）第２降圧チョッパ回路１３の出力電流は、ＬＥＤ２１とＬＥＤ２２の合計光束をＬＥＤ２２のみで出力する値まで上昇させれば、同じ照度を保つことができる。
（３）また、ＬＥＤ２１の断線前と同じ出力電力を維持する場合は、断線前の第１降圧チョッパ回路１２と第２降圧チョッパ回路１３の合計出力電流と同一電流値を第２降圧チョッパ回路１３のみで出力すれば良い。
（４）または、断線時は設定調光率にかかわらず、第２降圧チョッパ回路１３から最大出力電流を出力し、照度優先として最大照度を確保しても良い。以上の（１）〜（４）の処理のプログラムがマイコン２９内に予め格納されている。
【００５９】
以上のように、片方の色温度のＬＥＤが断線した場合は、断線した方の降圧チョッパ回路のみ動作を停止させ、断線していない他方のＬＥＤの電流を増加させることで断線時の照度低下を防止することができる。
【００６０】
（両方のＬＥＤが断線の場合）
なお、ＬＥＤ２１、ＬＥＤ２２の両方が断線した場合は、第１降圧チョッパ回路１２及び第２降圧チョッパ回路１３の両方動作が停止する。このとき、昇圧チョッパ回路７は動作する必要がない。そこで、第１降圧チョッパ回路１２及び第２降圧チョッパ回路１３の両方動作が停止した場合はマイコン２９は、第１遮断スイッチ３２をオフして制御ＩＣ２３への電力供給を遮断し、昇圧チョッパ回路７の動作を停止させても良い。
【００６１】
本実施の形態３においては力率改善回路を用いているが、力率改善が必要ない場合は、昇圧チョッパ回路は省略することができ、例えばコンデンサインプット型整流回路を用いればよい。その場合、制御ＩＣ２３及び第１遮断スイッチ３２は必要ない。また、ＬＥＤに電流を供給する回路として降圧チョッパ回路を用いているが、ＬＥＤに定電流を供給できる回路方式であれば他の回路方式でもよく、例えばフライバックコンバータなどでもよい。さらに実施の形態３では、色温度３０００Ｋと５０００ＫのＬＥＤを用いて説明したが、他の色温度の組み合わせでも良い。
【００６２】
また、降圧チョッパ回路の動作を停止する手段として、降圧チョッパ制御ＩＣへの制御電源を遮断しているが、降圧チョッパ回路の動作を停止できれば他の手段でもよく、例えば使用する制御ＩＣに動作停止用端子を備えているＩＣであれば、その端子を利用しても良い。
【００６３】
実施の形態４．
図７は、実施の形態４に係るＬＥＤ照明器具１４０の側断面図である。照明器具本体４０の内部には、実施の形態１〜３のいずれかで説明したＬＥＤ点灯装置１１０（１２０、１３０）が収納され、電源線４２、コネクタ４３を介して商用電源に接続される。色温度の異なるＬＥＤパッケージ４４ａ、４４ｂ（ＬＥＤ２１、ＬＥＤ２２に相当）を実装したＬＥＤ実装基板４５は照明器具本体４０の発光面に装着され、配線４６によりＬＥＤ点灯装置１１０（１２０，１３０）に接続され、照明器具を形成する。
【００６４】
本実施の形態４に係る照明器具によれば、各実施の形態で述べたＬＥＤ点灯装置を組み込むことができ、ＬＥＤ点灯装置を組み込んだ照明器具は、高効率、低ノイズで、色温度及び光量を容易に調整することができる。
【符号の説明】
【００６５】
１  商用交流電源、２  整流回路、３  第１インダクタ、４  第１スイッチング素子、５  ダイオード、６  第１平滑コンデンサ、７  昇圧チョッパ回路、８ａ，８ｂ  第２スイッチング素子、８ａ−１，８ｂ−１  駆動回路、９  第２インダクタ、１０  環流ダイオード、１１  第２平滑コンデンサ、１２  第１降圧チョッパ回路、１３  第２降圧チョッパ回路、１４ａ，１４ｂ  オペアンプ、１５ａ，１５ｂ  制御ＩＣ、１６  コンデンサ、１７  抵抗、１８  ダイオード、１９  第１降圧チョッパ回路制御部、２０  第２降圧チョッパ回路制御部、２１  ＬＥＤ、２２  ＬＥＤ、２３  制御ＩＣ、２４ａ，２４ｂ  ＬＥＤ電流検出抵抗、２５  制御電源回路、２６  色温度・調光コントローラ、２７  調光インターフェース回路、２８  フォトカプラ、２９  マイコン、３０  平滑回路、３１  平滑回路、３２  第１遮断スイッチ、３３  第２遮断スイッチ、３４  第３遮断スイッチ、３５  分圧抵抗、３６  分圧抵抗、４０  照明器具本体、４１  ＬＥＤ点灯装置、４２  電源線、４３  コネクタ、４４  ＬＥＤパッケージ、４５  ＬＥＤ実装基板、１０１，１０２，１０３  定電流制御部、１１０，１２０，１３０  ＬＥＤ点灯装置、１４０  ＬＥＤ照明器具。
【図１】
0005132749.tif 000002
【図２】
0005132749.tif 000003
【図３】
0005132749.tif 000004
【図４】
0005132749.tif 000005
【図５】
0005132749.tif 000006
【図６】
0005132749.tif 000007
【図７】
0005132749.tif 000008